(57)【要約】      （修正有）【課題】封印を解除する際にボディの破片が飛び散ることなく容易に取り外すことができ、しかも使用済みであることを一目で判断することができる封印具を提供する。【解決手段】円環板状のリング部２５にそのリング部２５の内周縁から中心に向けて複数の弾性爪２６が封印対象である封止ねじの頭部に係止可能に突出形成されてなる係止座金５と、この係止座金５が周方向に相対回転可能に組み込まれ、封止ねじの頭部を覆うボディ４とを備える封印具１において、ボディ４を軟質の合成樹脂で構成し、ボディ４の外周面に切込または溝を設けることで形成される一対の弱め部２０を、ボディ４の下部位置から上下方向中間位置に亘って上方に進むに従い互いの距離が縮まるように八の字状に配設し、係止座金５のリング部２５には複数の切欠き２７を設ける。【選択図】図１
0003203031.tif 000002
【実用新案登録請求の範囲】
【請求項１】
円環板状のリング部にそのリング部の内周縁から中心に向けて複数の弾性爪が封印対象である封止ねじの頭部に係止可能に突出形成されてなる係止座金と、この係止座金が周方向に相対回転可能に組み込まれ、前記封止ねじの頭部を覆うボディとを備える封印具において、
前記ボディを軟質の合成樹脂で構成し、前記ボディの外周面に切込または溝を設けることで形成される一対の弱め部を、前記ボディの下部位置から上下方向中間位置に亘って上方に進むに従い互いの距離が縮まるように八の字状に配設し、前記係止座金の前記リング部に複数の切欠きを設けることを特徴とする封印具。
【考案の詳細な説明】
【技術分野】
【０００１】
本考案は、電力量計、その他の器具類の封印に用いられる封印具に関し、特に、封止ねじの頭部に樹脂製のボディを装着して封印するようにした封印具に関するものである。
【背景技術】
【０００２】
従来、例えば商用電力の電力量計などのように封印する必要のある計器に用いられる封印具としては、計器に設けられた封止ねじを外部から回動できないようにその封止ねじの頭部に装着して封印できる構成のものが例えば特許文献１にて提案され、実用に供されている。
【先行技術文献】
【特許文献】
【０００３】
【特許文献１】実開昭５３−１３４９８７号公報
【０００４】
上記特許文献１に係る封印具は、計器に設けられた封止ねじの頭部に装着されるものであって、硬質の合成樹脂で形成された閉鎖構造の箱型のボディ内に、封止ねじに装着後引き戻し方向の移動を阻止する係止力が作用する構造の金属製の係止座金が組み込まれて構成され、ボディを外部から摘んで回転させてもボディと共に係止座金が回転されないような構造で、ボディを破壊しない限り封止ねじを緩めるなどの操作ができないようにして、封印効果が得られるようにされている。
【０００５】
しかしながら、従来の封印具では、ボディが硬質樹脂製であるため、封印解除の際に、例えばペンチでボディを挟んで封止ねじから引き離そうとしたり、計器とボディとの間にドライバーを差し込んで梃子の作用で封止ねじから引き離そうとしたりすると、ボディが割れて破片が飛び散るという問題点がある。
なお、飛び散った破片をそのまま放置すれば苦情の原因になることから、飛び散った破片を拾い集めて清掃しなくてはならず、面倒である。特に、寒冷地の冬場において雪の上に破片が飛び散って雪どけの春になるとその破片が露出して環境面からも問題になる場合がある。
【０００６】
また、従来の封印具では、係止座金が金属製で、しかも係止座金が封止ねじに係止固着する構成であるため、封止ねじから係止座金を容易に取り外すことができず、作業効率が悪いという問題点もある。
【考案の概要】
【考案が解決しようとする課題】
【０００７】
本考案は、前述のような問題点に鑑みてなされたもので、封印を解除する際にボディの破片が飛び散ることなく容易に取り外すことができ、しかも使用済みであることを一目で判断することができる封印具を提供することを目的とするものである。
【課題を解決するための手段】
【０００８】
前記目的を達成するために、本考案による封印具は、
円環板状のリング部にそのリング部の内周縁から中心に向けて複数の弾性爪が封印対象である封止ねじの頭部に係止可能に突出形成されてなる係止座金と、この係止座金が周方向に相対回転可能に組み込まれ、前記封止ねじの頭部を覆うボディとを備える封印具において、
前記ボディを軟質の合成樹脂で構成し、前記ボディの外周面に切込または溝を設けることで形成される一対の弱め部を、前記ボディの下部位置から上下方向中間位置に亘って上方に進むに従い互いの距離が縮まるように八の字状に配設し、前記係止座金の前記リング部に複数の切欠きを設けることを特徴とするものである。
【考案の効果】
【０００９】
本考案の封印具によれば、ボディが軟質の合成樹脂で構成されるので、封印を解除する際に、例えばペンチでボディを挟んで封止ねじから引き離そうとしたり、計器とボディとの間にドライバーを差し込んで梃子の作用で封止ねじから引き離そうとしたりしても、ボディが変形するだけで、従来のようにボディが割れて破片が飛び散るようなことを防ぐことができる。
また、ボディの外周面に切込または溝を設けることで形成される一対の弱め部が、ボディの下部位置から上下方向中間位置に亘って上方に進むに従い互いの距離が縮まるように八の字状に配設されるので、上記の封印解除動作によってボディが変形するに伴い、弱め部が破断することになる。これにより、封止ねじからボディを容易に取り外すことができるとともに、使用済みであることを一目で判断することができる。なお、一対の弱め部の上端同士の間の部分は繋ぎ部となって破断しないため、一対の弱め部で挟まれた部分が破片となって飛び散るようなことはない。
また、係止座金のリング部に複数の切欠きが設けられるので、上記の封印解除動作によってボディが変形するに伴い、係止座金がそのリング部に設けられた切欠きの箇所で破断することになる。これにより、封止ねじから係止座金を容易に取り外すことができる。
【図面の簡単な説明】
【００１０】
【図１】本考案の一実施形態に係る封印具を示す図で、（ａ）は平面図、（ｂ）は正面図、（ｃ）は底面図である。
【図２】計器の封止ねじに装着された封印具の縦断面図である。
【図３】係止座金の平面図である。
【考案を実施するための形態】
【００１１】
次に、本考案による封印具の具体的な実施の形態について、図面を参照しつつ説明する。
【００１２】
＜封印具の概略説明＞
図１（ａ）〜（ｃ）および図２に示される封印具１は、計器２に設けられた封止ねじ３の頭部３ａに装着されるものであって、軟質の合成樹脂（例えば、ＡＢＳ樹脂やポリカーボネート等）で構成されるボディ４と、金属製の係止座金５とを備えている。
【００１３】
＜ボディの説明＞
図２に示されるように、ボディ４は、ボディ本体１１と蓋体１２とにより構成されている。
図１（ｃ）に示されるように、ボディ本体１１は、中央に丸孔状の封止ねじ差込口１３を有する円盤状の底板部１４を備え、図２に示されるように、底板部１４の外周縁に円筒形状部１５が一体的に立設されてなるものである。
蓋体１２は、円筒形状部１６と、この円筒形状部１６の上側を塞ぐようにその円筒形状部１６の上端縁に一体的に設けられる天板部１７とを備えてなるものである。
蓋体１２の円筒形状部１６は、ボディ本体１１の円筒形状部１５の内側に嵌り込むようにその外径寸法が設定されている。また、蓋体１２の円筒形状部１６は、ボディ本体１１の底板部１４上に置かれた係止座金５に近接する位置までボディ本体１１の円筒形状部１５内に押し込まれた際に、ボディ本体１１の円筒形状部１５と略同じ高さ位置となるようにその高さ寸法が設定されている。
【００１４】
＜弱め部の説明＞
図１（ｂ）に示されるように、ボディ本体１１には、円筒形状部１５の外周面に切込または溝（本例では溝）を設けることで形成される一対の弱め部２０が、円筒形状部１５の下部位置から上下方向中間位置に亘って上方に進むに従い互いの距離が縮まるように八の字状に配設されている。一対の弱め部２０は、円筒形状部１５の周方向に等角度間隔（本例では９０°間隔）で複数組（本例では４組）配置されている。
ボディ本体１１の円筒形状部１５において、一対の弱め部２０の上端部同士の間の部分は繋ぎ部２１とされ、一対の弱め部２０が破断した際に、一対の弱め部２０で挟まれる部分２２が繋ぎ部２１によってボディ本体１１に繋ぎ止められるようになっている。
【００１５】
＜係止座金の説明＞
図２および図３に示されるように、係止座金５は、円環板状のリング部２５を有し、このリング部２５の内周縁から中心に向けて斜め上向きに所定角度で突出形成される複数（本例では４つ）の弾性爪２６が周方向に等角度間隔（本例では９０°間隔）で配置されてなるものである。
係止座金５においては、複数の弾性爪２６のそれぞれの先端形状が円弧状で、それら弾性爪２６の先端を結ぶ仮想円の直径が封止ねじ３の頭部３ａの外径よりもやや小さく形成されている。また、リング部２５の外径は、蓋体１７の円筒形状部１６の内径よりも大きく、ボディ本体１１の円筒形状部１５の内径よりもやや小さく形成されている。
係止座金５をボディ本体１１の底板部１４上に置いたとき、係止座金５における複数の弾性爪２６の先端を結ぶ仮想円の中心と、ボディ本体１１の封止ねじ差込口１３の中心とが平面視で略一致するように、封止ねじ差込口１３と複数の弾性爪２６との位置関係が定められている。
【００１６】
＜切欠きの説明＞
図３に示されるように、係止座金５のリング部２５には、径方向外側に向けて開かれた複数（本例では４つ）の切欠き２７が周方向に等角度間隔（本例では９０°間隔）で形成されている。
各切欠き２７は、リング部２５における互いに隣り合う２つの弾性爪２６の間の部位に配置されている。こうすることにより、比較的小さい力でもリング部２５を破断することができ、封止ねじ３の頭部３ａから係止座金５をより容易に取り外すことができる。
なお、径方向外側に向けて開かれた上記の切欠き２７に代えて、径方向内側に向けて開かれた切欠きを採用することも可能である。
【００１７】
＜封印具の組立の説明＞
封印具１においては、図２に示されるように、係止座金５をボディ本体１１の底板部１４上に置いた状態で、ボディ本体１１の円筒形状部１５と、蓋体１２の円筒形状部１６との高さ位置が略同じとなるまで、円筒形状部１５内に円筒形状部１６を押し込むことで組み立てられ、ボディ４の内部に係止座金５が周方向に相対回転可能に組み込まれる。
なお、ボディ本体１１と蓋体１２とは、接着剤による接着または超音波等を用いた溶着により、分離不能に一体化される。
【００１８】
＜封印具の封印動作の説明＞
以上に述べたように構成される封印具１を封止ねじ３の頭部３ａに装着する際には、封止ねじ３の頭部３ａが封止ねじ差込口１３を通してボディ４の内部に入り込むように、封止ねじ３の頭部３ａに対し封印具１を押し付ける。すると、封止ねじ３の頭部３ａに対し係止座金５の各弾性爪２６が接して外側に押し開かれ、ボディ４の底面が計器２の上面に当接した状態で、各弾性爪２６は封止ねじ３の頭部３ａの外周面にその弾発力で密着し、係止座金５は封止ねじ３の頭部３ａを抱持した状態で一体的となる。
上述したように、ボディ４に対し係止座金５が周方向に相対回転可能に組み込まれているので、封止ねじ３に封印具１が装着されることにより、ボディ４を破壊しない限り封止ねじ３を緩めるなどの操作が不可能になり、封印効果が確実に発揮される。
【００１９】
＜封印具の封印解除動作の説明＞
一方、封止ねじ３の頭部３ａに装着された封印具１を取り外して封印を解除する際には、例えば図示されないペンチでボディ４を挟んで封止ねじ３から封印具１を引き離す、あるいは計器２とボディ４との間に図示されないドライバーを差し込んで梃子の作用で封止ねじ３から封印具１を引き離すようにする。
【００２０】
＜作用効果の説明＞
従来の封印具であれば、上述したような封印解除動作の際に、ペンチの挟み付け力によってボディの全体が割れて破片が飛び散る、あるいはドライバーからボディに局部的に作用する力によってボディの一部が割れて破片が飛び散ることになる。
これに対し、本実施形態の封印具１によれば、ボディ４が軟質の合成樹脂で構成されるので、上述したような封印解除動作の際に、ペンチの挟み付け力によってボディ４の全体が変形する、あるいはドライバーからボディ４に局部的に作用する力によってボディ４の一部が変形するだけであるため、ボディ４が割れて破片が飛び散るようなことを防ぐことができる。
【００２１】
また、ボディ本体１１の外周面に一対の弱め部２０が複数組設けられるので、上記の封印解除動作によってボディが全体的あるいは部分的に変形するに伴い、弱め部２０を破断するに要する力よりも大きな力が作用した箇所の弱め部２０が破断することになる。これにより、封止ねじ３からホディ４を容易に取り外すことができるとともに、使用済みであることを一目で判断することができる。なお、一対の弱め部２０で挟まれた部分２２は、繋ぎ部２１によってボディ本体１１に繋ぎ止められることになり、破片となって飛び散るようなことがない。
また、係止座金５におけるリング部２５に複数の切欠き２７が設けられるので、上記の封印解除動作によってボディ４が変形するに伴い、係止座金５がそのリング部２５に設けられた切欠き２７の箇所で破断することになる。これにより、封止ねじ３から係止座金５を容易に取り外すことができる。
【００２２】
以上、本考案の封印具について、一実施形態に基づいて説明したが、本考案は上記実施形態に記載した構成に限定されるものではなく、その趣旨を逸脱しない範囲において適宜その構成を変更することができるものである。
【産業上の利用可能性】
【００２３】
本考案の封印具は、封印を解除する際にボディの破片が飛び散ることなく容易に取り外すことができ、しかも使用済みであることを一目で判断することができるという特性を有していることから、電力量計、その他の器具類の封印の用途に好適に用いることができ、産業上の利用可能性が大である。
【符号の説明】
【００２４】
１    封印具
３    封止ねじ
３ａ  頭部
４    ボディ
５    係止座金
２０  弱め部
２５  リング部
２６  弾性爪
２７  切欠き
【図１】
0003203031.tif 000003
【図２】
0003203031.tif 000004
【図３】
0003203031.tif 000005